(57)【特許請求の範囲】
【請求項１】
プライマリセル及びセカンダリセルを用いてキャリアアグリゲーションを行うことができるように構成されている移動局であって、
対象のセカンダリセルが属するタイミング調整グループを第１タイミング調整グループから第２タイミング調整グループに変更するように指示された場合、該対象のセカンダリセルを非アクティブ化するように構成されている制御部を具備することを特徴とする移動局。
【請求項２】
プライマリセル及びセカンダリセルを用いてキャリアアグリゲーションを行うことができるように構成されている移動局であって、
タイミング調整タイマが停止しているタイミング調整グループに属するセカンダリセルにおいて、上りリンク信号を送信しないように構成されている送信部と、
対象のセカンダリセルが属するタイミング調整グループを第１タイミング調整グループから第２タイミング調整グループに変更するように指示された場合、該第１タイミング調整グループ及び該第２タイミング調整グループの少なくとも一方におけるタイミング調整タイマを停止するように構成されている制御部とを具備することを特徴とする移動局。
【請求項３】
移動局がプライマリセル及びセカンダリセルを用いてキャリアアグリゲーションを行うことができるように構成されている移動通信システムで用いられる無線基地局であって、
前記移動局に対して、対象のセカンダリセルが属するタイミング調整グループを第１タイミング調整グループから第２タイミング調整グループに変更するように指示する前に、該対象のセカンダリセルを非アクティブ化するように構成されている制御部を具備することを特徴とする無線基地局。
【請求項４】
移動局がプライマリセル及びセカンダリセルを用いてキャリアアグリゲーションを行うことができるように構成されている移動通信システムで用いられる無線基地局であって、
前記移動局に対して、対象のセカンダリセルが属するタイミング調整グループを第１タイミング調整グループから第２タイミング調整グループに変更するように指示する場合には、該移動局に対して、ハンドオーバを行うように指示するように構成されている制御部を具備することを特徴とする無線基地局。
【請求項５】
移動局がプライマリセル及びセカンダリセルを用いてキャリアアグリゲーションを行うことができるように構成されている移動通信システムで用いられる無線基地局であって、
前記移動局に対して、対象のセカンダリセルが属するタイミング調整グループを第１タイミング調整グループから第２タイミング調整グループに変更するように指示する場合には、該対象のセカンダリセルにおけるスケジューリングを停止するように構成されている制御部を具備することを特徴とする無線基地局。
【請求項６】
前記制御部は、前記指示を行う前に、前記移動局によって送信されるＳＲＳを解放するように構成されていることを特徴とする請求項５に記載の無線基地局。
【発明の詳細な説明】
【技術分野】
【０００１】
本発明は、移動局及び無線基地局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式に対応する移動通信システムでは、ＰＣＣ（Ｐｒｉｍａｒｙ  Ｃｏｍｐｏｎｅｎｔ  Ｃａｒｒｉｅｒ）におけるサービングセルであるＰｃｅｌｌ（Ｐｒｉｍａｒｙ  Ｃｅｌｌ、プライマリセル）及びＳＣＣ（Ｓｅｃｏｎｄａｒｙ  Ｃｏｍｐｏｎｅｎｔ  Ｃａｒｒｉｅｒ）におけるサービングセルであるＳｃｅｌｌ（Ｓｅｃｏｎｄａｒｙ  Ｃｅｌｌ、セカンダリセル）を用いて、ＣＡ（Ｃａｒｒｉｅｒ  Ａｇｇｒｅｇａｔｉｏｎ、キャリアアグリゲーション）を行うことができる。
【０００３】
Ｓｃｅｌｌは、アクティブな状態及び非アクティブな状態をとることができ、Ｓｃｅｌｌが、非アクティブな状態に遷移すると、移動局ＵＥは、当該Ｓｃｅｌｌにおける送受信を停止し、これにより、移動局ＵＥのバッテリーセービングを実現することが可能である。
【０００４】
また、ＬＴＥ-Ａｄｖａｎｃｅｄ方式に対応する移動通信システムでは、ＴＡ（Ｔｉｍｉｎｇ  Ａｄｖａｎｃｅ）制御が行われるように構成されている。
【０００５】
具体的には、ＴＡ制御では、無線基地局ｅＮＢが、複数の移動局ＵＥからの受信信号の受信タイミング（ＦＦＴタイミング）を合わせるために、各移動局ＵＥに対して、ＴＡ値を指示し、各移動局ＵＥは、指示されたＴＡ値に基づいて、上りリンク信号の送信タイミングを調整するように構成されている。
【０００６】
例えば、無線基地局ｅＮＢは、セル端に位置する移動局ＵＥに対して、セル中央に位置する移動局ＵＥよりも早いタイミングで、上りリンク信号を送信させる。
【０００７】
また、異なる周波数のセルで、Ｉｎｔｅｒ-ｂａｎｄ  ＣＣ（ＵＬ  ＣＣ）を行う場合には、セルごとに、無線特性（遅延特性や減衰特性）が異なる。ここで、異なる無線特性を有するセルに対しては、それぞれの無線特性に応じたＴＡ制御を行うことが必要である。
【０００８】
具体的には、ＬＴＥ-Ａｄｖａｎｃｅｄ方式に対応する移動通信システムでは、Ｉｎｔｅｒ-ｂａｎｄ  ＣＣを行う場合に、Ｐｃｅｌｌ及びＳｃｅｌｌを、無線特性が同等なグループ（ＴＡＧ：Ｔｉｍｉｎｇ  Ａｄｖａｎｃｅ  Ｇｒｏｕｐ、タイミング調整グループ）にグルーピングして、各グループでＴＡ制御を行うように構成されている。
【０００９】
かかるＴＡ制御は、「Ｍｕｌｔｉｐｌｅ  Ｔｉｍｉｎｇ  Ａｄｖａｎｃｅｓ（ＭＴＡ）制御」呼ばれている。なお、かかるグループには、Ｐｃｅｌｌを含むｐＴＡＧ及びＳｃｅｌｌのみからなるｓＴＡＧの２種類が存在する。
【００１０】
また、同一のＴＡＧに属するＰｃｅｌｌ及びＳｃｅｌｌは、ＴＡ値（及び、ＵＬ信号送信タイミング）、ＴＡＴ（Ｔｉｍｅ  Ａｌｉｇｎｍｅｎｔ  Ｔｉｍｅｒ、タイミング調整タイマ）及び「ＤＬ  Ｔｉｍｉｎｇ  Ｒｅｆｅｒｅｎｃｅ  Ｃｅｌｌ」を共有する。
【００１１】
なお、ＴＡＴは、ＴＡＧ内のＰｃｅｌｌ及びＳｃｅｌｌにおいて上りリンク同期が取れているか否かについて判定するためのタイマであり、移動局ＵＥは、「ＤＬ  Ｔｉｍｉｎｇ  Ｒｅｆｅｒｅｎｃｅ  Ｃｅｌｌ」における下りリンク信号の受信タイミングによって、ＴＡＧ内のＰｃｅｌｌ及びＳｃｅｌｌにおける上りリンク信号の送信タイミングを調整するように構成されている。
【００１２】
ここで、移動局ＵＥに設定されているＳｃｅｌｌが、適切なＴＡＧにマッピングされていない場合（例えば、ＵＬ送信タイミングが、同一ＴＡＧ内のＰｃｅｌｌ及びＳｃｅｌｌ間で大きくずれている場合）には、無線基地局ｅＮＢは、当該Ｓｃｅｌｌを適切なＴＡＧにマッピングする必要がある。
【００１３】
ＴＡＧ及びＳｃｅｌｌのマッピングの設定及び変更は、図６（ａ）及び図６（ｂ）に示すように、「ＲＲＣ  Ｃｏｎｎｅｃｔｉｏｎ  Ｒｅｃｏｎｆｉｇｕｒａｔｉｏｎ手順」を用いて行われる。
【先行技術文献】
【非特許文献】
【００１４】
【非特許文献１】３ＧＰＰ寄書  Ｒ２-１１６５０３
【発明の概要】
【発明が解決しようとする課題】
【００１５】
しかしながら、ＴＡＧ及びＳｃｅｌｌのマッピングを変更する手順、すなわち、「ＲＲＣ  Ｃｏｎｎｅｃｔｉｏｎ  Ｒｅｃｏｎｆｉｇｕｒａｔｉｏｎ手順」が行われている間に、移動局ＵＥが、かかるＳｃｅｌｌにおいて、上りリンク信号を送信する可能性がある。
【００１６】
例えば、図６（ｂ）に示すように、Ｓｃｅｌｌ＃２が属するＴＡＧをＴＡＧ＃２からＴＡＧ＃１に変更する場合、かかる変更手順が行われている間、無線基地局ｅＮＢは、移動局ＵＥがＳｃｅｌｌ＃２がＴＡＧ＃１及びＴＡＧ＃２のいずれに属していると判断して上りリンク信号を送信しているか分からない。
【００１７】
そのため、Ｓｃｅｌｌ＃２における上りリンク信号の送受信において、移動局ＵＥと無線基地局ｅＮＢとの間で、異なるＴＡ値（及び、ＵＬ信号送信タイミング）、ＴＡＴ及び「ＤＬ  Ｔｉｍｉｎｇ  Ｒｅｆｅｒｅｎｃｅ  Ｃｅｌｌ」を用いた結果、無線基地局ｅＮＢが、Ｓｃｅｌｌ＃２における移動局ＵＥからの上リンク信号を受信することができず、かかる上りリンク信号が、他の上りリンク信号に対する干渉となってしまう可能性があるという問題点があった。
【００１８】
そこで、本発明は、上述の課題に鑑みてなされたものであり、ＴＡＧ及びＳｃｅｌｌのマッピングの変更手順において、上述の問題点を解消することができる移動局及び無線基地局を提供することを目的とする。
【課題を解決するための手段】
【００１９】
本発明の第１の特徴は、プライマリセル及びセカンダリセルを用いてキャリアアグリゲーションを行うことができるように構成されている移動局であって、対象のセカンダリセルが属するタイミング調整グループを第１タイミング調整グループから第２タイミング調整グループに変更するように指示された場合、該対象のセカンダリセルを非アクティブ化するように構成されている制御部を具備することを要旨とする。
【００２０】
本発明の第２の特徴は、プライマリセル及びセカンダリセルを用いてキャリアアグリゲーションを行うことができるように構成されている移動局であって、タイミング調整タイマが停止しているタイミング調整グループに属するセカンダリセルにおいて、上りリンク信号を送信しないように構成されている送信部と、対象のセカンダリセルが属するタイミング調整グループを第１タイミング調整グループから第２タイミング調整グループに変更するように指示された場合、該第１タイミング調整グループ及び該第２タイミング調整グループの少なくとも一方におけるタイミング調整タイマを停止するように構成されている制御部とを具備することを要旨とする。
【００２１】
本発明の第３の特徴は、移動局がプライマリセル及びセカンダリセルを用いてキャリアアグリゲーションを行うことができるように構成されている移動通信システムで用いられる無線基地局であって、前記移動局に対して、対象のセカンダリセルが属するタイミング調整グループを第１タイミング調整グループから第２タイミング調整グループに変更するように指示する前に、該対象のセカンダリセルを非アクティブ化するように構成されている制御部を具備することを要旨とする。
【００２２】
本発明の第４の特徴は、移動局がプライマリセル及びセカンダリセルを用いてキャリアアグリゲーションを行うことができるように構成されている移動通信システムで用いられる無線基地局であって、前記移動局に対して、対象のセカンダリセルが属するタイミング調整グループを第１タイミング調整グループから第２タイミング調整グループに変更するように指示する場合には、該移動局に対して、ハンドオーバを行うように指示するように構成されている制御部を具備することを要旨とする。
【００２３】
本発明の第５の特徴は、移動局がプライマリセル及びセカンダリセルを用いてキャリアアグリゲーションを行うことができるように構成されている移動通信システムで用いられる無線基地局であって、前記移動局に対して、対象のセカンダリセルが属するタイミング調整グループを第１タイミング調整グループから第２タイミング調整グループに変更するように指示する場合には、該対象のセカンダリセルにおけるスケジューリングを停止するように構成されている制御部を具備することを要旨とする。
【００２４】
本発明の第６の特徴は、プライマリセル及びセカンダリセルを用いてキャリアアグリゲーションを行うことができるように構成されている移動局であって、対象のセカンダリセルが属するタイミング調整グループを第１タイミング調整グループから第２タイミング調整グループに変更するように指示された場合、該対象のセカンダリセルにおける上りリンクの送信を停止するように構成されている制御部を具備することを要旨とする。
【発明の効果】
【００２５】
以上説明したように、本発明によれば、ＴＡＧ及びＳｃｅｌｌのマッピングの変更手順において、上述の問題点を解消することができる移動局及び無線基地局を提供することができる。
【図面の簡単な説明】
【００２６】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を説明するためのフローチャートである。
【図４】本発明の第２の実施形態に係る無線基地局の機能ブロック図である。
【図５】本発明の第２の実施形態に係る無線基地局の動作を説明するためのフローチャートである。
【図６】従来の移動通信システムについて説明するための図である。
【発明を実施するための形態】
【００２７】
（本発明の第１の実施形態に係る移動通信システム）
図１乃至図３を参照して、本発明の第１の実施形態に係る移動通信システムについて説明する。
【００２８】
本実施形態に係る移動通信システムは、ＬＴＥ-Ａｄｖａｎｃｅｄ方式をサポートするものであって、Ｐｃｅｌｌ及びＳｃｅｌｌを用いてＣＡを行うことができるように構成されている。
【００２９】
具体的には、本実施形態に係る移動通信システムは、「Ｉｎｔｅｒ-ｂａｎｄ  ＣＡ」を行うことができるように構成されている。
【００３０】
図１に示すように、本実施形態に係る移動通信システムは、移動局ＵＥのＰＣＣ及びＳｃｅｌｌ＃１〜＃３を管理する無線基地局ｅＮＢを具備している。
【００３１】
なお、Ｐｃｅｌｌは、ＰＣＣにおけるサービングセルであり、Ｓｃｅｌｌ＃１は、ＳＣＣ＃１におけるサービングセルであり、Ｓｃｅｌｌ＃２は、ＳＣＣ＃２におけるサービングセルであり、Ｓｃｅｌｌ＃３は、ＳＣＣ＃３におけるサービングセルである。
【００３２】
なお、本実施形態では、図６（ｂ）に示すように、移動局ＵＥが、Ｐｃｅｌｌ及びＳｃｅｌｌ＃１〜＃４を用いてＣＡを行っている状態において、Ｓｃｅｌｌ＃２が属するＴＡＧをＴＡＧ＃２からＴＡＧ＃１に変更するケースを例に挙げて説明する。
【００３３】
図２に示すように、本実施形態に係る移動局ＵＥは、受信部１１と、制御部１２と、送信部１３とを具備している。
【００３４】
受信部１１は、無線基地局ｅＮＢから各種信号を受信するように構成されており、送信部１３は、無線基地局ｅＮＢに対して各種信号を送信するように構成されており、制御部１２は、各種制御を行うように構成されている。
【００３５】
例えば、受信部１１は、無線基地局ｅＮＢから、Ｓｃｅｌｌ＃２が属するＴＡＧをＴＡＧ＃２からＴＡＧ＃１に変更するように指示する「ＲＲＣ  Ｃｏｎｎｅｃｔｉｏｎ  Ｒｅｃｏｎｆｉｇｕｒａｔｉｏｎ（ＴＡＧ  ｍｏｄｉｆｉｃａｔｉｏｎ）」を受信するように構成されている。
【００３６】
また、制御部１２は、Ｓｃｅｌｌ＃２が属するＴＡＧをＴＡＧ＃２からＴＡＧ＃１に変更するように指示された場合、例えば、上述の「ＲＲＣ  Ｃｏｎｎｅｃｔｉｏｎ  Ｒｅｃｏｎｆｉｇｕｒａｔｉｏｎ（ＴＡＧ  ｍｏｄｉｆｉｃａｔｉｏｎ）」を受信した場合、Ｓｃｅｌｌ＃２が属するＴＡＧをＴＡＧ＃２からＴＡＧ＃１に変更すると共に、Ｓｃｅｌｌ＃２を非アクティブ化（ｄｅａｃｔｉｖａｔｅ）するように構成されていてもよい。
【００３７】
かかる構成によれば、Ｓｃｅｌｌ＃２が属するＴＡＧをＴＡＧ＃２からＴＡＧ＃１に変更する手順が行われている間は、移動局ＵＥが、Ｓｃｅｌｌ＃２において、上りリンク信号を送信することができないため、他の上りリンク信号に対する干渉の発生を回避することができる。
【００３８】
或いは、制御部１２は、Ｓｃｅｌｌ＃２が属するＴＡＧをＴＡＧ＃２からＴＡＧ＃１に変更するように指示された場合、例えば、上述の「ＲＲＣ  Ｃｏｎｎｅｃｔｉｏｎ  Ｒｅｃｏｎｆｉｇｕｒａｔｉｏｎ（ＴＡＧ  ｍｏｄｉｆｉｃａｔｉｏｎ）」を受信した場合、Ｓｃｅｌｌ＃２が属するＴＡＧをＴＡＧ＃２からＴＡＧ＃１に変更すると共に、ＴＡＧ＃１及びＴＡＧ＃２の少なくとも一方におけるＴＡＴを停止するように構成されていてもよい。
【００３９】
ここで、制御部１２は、上述のＴＡＴを実際に停止する代わりに、かかるＴＡＴが満了したものと見なして、その後の処理を行うように構成されていてもよい。
【００４０】
また、上記においては、制御部１２が、Ｓｃｅｌｌの非アクティブ化やハンドオーバ等の特殊な制御を行うケースについて挙げたが、Ｓｃｅｌｌ＃２が属するＴＡＧをＴＡＧ＃２からＴＡＧ＃１に変更するように指示する場合に、制御部１２は、単に、Ｓｃｅｌｌ＃２における上りリンクの送信を停止するように構成されていてもよい。
【００４１】
ただし、かかる場合には、Ｓｃｅｌｌ＃２が属するＴＡＧをＴＡＧ＃２からＴＡＧ＃１に変更した後、移動局ＵＥが、Ｓｃｅｌｌ＃２を再開する契機を指定することも考えられる。
【００４２】
かかる契機は、無線基地局ｅＮＢからの制御信号であってもよいし、移動局ＵＥから送信するＴＡＧ変更手順完了通知信号に対する無線基地局ｅＮＢからの送達確認信号であってもよい。
【００４３】
さらに、かかる制御信号や送達確認信号は、物理レイヤで送信されてもよいし、上位のＲＬＣレイヤやＰＤＣＰレイヤやＲＲＣレイヤのいずれで送信されてもよい。
【００４４】
かかる構成によれば、Ｓｃｅｌｌ＃２が属するＴＡＧをＴＡＧ＃２からＴＡＧ＃１に変更する手順が行われている間は、移動局ＵＥは、Ｓｃｅｌｌ＃２が属するＴＡＧ（ＴＡＧ＃１又はＴＡＧ＃２）のＴＡＴが停止していると判断するため、すなわち、Ｓｃｅｌｌ＃２における上りリンクにおいて同期が外れていると判断するため、移動局ＵＥが、Ｓｃｅｌｌ＃２において、上りリンク信号を送信することができないため、他の上りリンク信号に対する干渉の発生を回避することができる。
【００４５】
また、制御部１２が、上述のように、Ｓｃｅｌｌ＃２が属するＴＡＧをＴＡＧ＃２からＴＡＧ＃１に変更する手順を完了した場合に、送信部１３は、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されている。
【００４６】
以下、図３を参照して、本実施形態に係る移動局ＵＥの動作について説明する。
【００４７】
図３に示すように、ステップＳ１０１において、移動局ＵＥは、無線基地局ｅＮＢから「ＲＲＣ  Ｃｏｎｎｅｃｔｉｏｎ  Ｒｅｃｏｎｆｉｇｕｒａｔｉｏｎ（ＴＡＧ  ｍｏｄｉｆｉｃａｔｉｏｎ）」を受信する。
【００４８】
ステップＳ１０２において、移動局ＵＥは、かかる「ＲＲＣ  Ｃｏｎｎｅｃｔｉｏｎ  Ｒｅｃｏｎｆｉｇｕｒａｔｉｏｎ（ＴＡＧ  ｍｏｄｉｆｉｃａｔｉｏｎ）」によって指示されたＴＡＧ及びＳｃｅｌｌのマッピングを変更すると共に、変更対象のＳｃｅｌｌを非アクティブ化する。
【００４９】
或いは、ステップＳ１０２において、移動局ＵＥは、かかる「ＲＲＣ  Ｃｏｎｎｅｃｔｉｏｎ  Ｒｅｃｏｎｆｉｇｕｒａｔｉｏｎ（ＴＡＧ  ｍｏｄｉｆｉｃａｔｉｏｎ）」によって指示されたＴＡＧ及びＳｃｅｌｌのマッピングを変更すると共に、変更対象のＳｃｅｌｌが変更前に属していたＴＡＧ或いは変更対象のＳｃｅｌｌが変更後に属することになるＴＡＧの少なくとも一方のＴＡＴが満了したものと見なす。
【００５０】
本実施形態に係る発明によれば、Ｓｃｅｌｌ＃２が属するＴＡＧをＴＡＧ＃２からＴＡＧ＃１に変更する手順が行われている間、Ｓｃｅｌｌ＃２における上りリンク信号の送受信において、移動局ＵＥと無線基地局ｅＮＢとの間で、異なるＴＡ値、ＴＡＴ及び「ＤＬ  Ｔｉｍｉｎｇ  Ｒｅｆｅｒｅｎｃｅ  Ｃｅｌｌ」を用いた結果、無線基地局ｅＮＢが、Ｓｃｅｌｌ＃２における移動局ＵＥからの上リンク信号を受信することができず、かかる上りリンク信号が、他の上りリンク信号に対する干渉となってしまう事態を回避することができる。
【００５１】
（第２の実施形態）
以下、図４及び図５を参照して、本発明の第２の実施形態に係る移動通信システムについて、上述の第１の実施形態に係る移動通信システムとの相違点に着目して説明する。
【００５２】
本実施形態に係る移動通信システムでは、図４に示すように、無線基地局ｅＮＢは、制御部２１と、送信部２２と、受信部２３とを具備している。
【００５３】
送信部２２は、移局ＵＥに対して各種信号を送信するように構成されており、受信部２３は、移動局ＵＥから各種信号を受信するように構成されており、制御部２１は、各種制御を行うように構成されている。
【００５４】
制御部２１は、移動局ＵＥのＳｃｅｌｌ＃２が属するＴＡＧをＴＡＧ＃２からＴＡＧ＃１に変更することを決定した場合、移動局ＵＥに対して、Ｓｃｅｌｌ＃２が属するＴＡＧをＴＡＧ＃２からＴＡＧ＃１に変更するように指示する前に、Ｓｃｅｌｌ＃２を非アクティブ化するように構成されていてもよい。
【００５５】
かかる構成によれば、Ｓｃｅｌｌ＃２が属するＴＡＧをＴＡＧ＃２からＴＡＧ＃１に変更する手順が行われている間は、移動局ＵＥが、Ｓｃｅｌｌ＃２において、上りリンク信号を送信することができないため、他の上りリンク信号に対する干渉の発生を回避することができる。
【００５６】
或いは、制御部２１は、移動局ＵＥのＳｃｅｌｌ＃２が属するＴＡＧをＴＡＧ＃２からＴＡＧ＃１に変更することを決定した場合、すなわち、移動局ＵＥに対して、Ｓｃｅｌｌ＃２が属するＴＡＧをＴＡＧ＃２からＴＡＧ＃１に変更するように指示する場合には、移動局ＵＥに対して、ハンドオーバを行うように指示するように構成されていてもよい。
【００５７】
ハンドオーバを行う際には、全てのＳｃｅｌｌを非アクティブ化するため、Ｓｃｅｌｌ＃２が属するＴＡＧをＴＡＧ＃２からＴＡＧ＃１に変更する手順が行われている間は、移動局ＵＥが、Ｓｃｅｌｌ＃２において、上りリンク信号を送信することができないため、他の上りリンク信号に対する干渉の発生を回避することができる。
【００５８】
或いは、制御部２１は、移動局ＵＥのＳｃｅｌｌ＃２が属するＴＡＧをＴＡＧ＃２からＴＡＧ＃１に変更することを決定した場合、すなわち、移動局ＵＥに対して、Ｓｃｅｌｌ＃２が属するＴＡＧをＴＡＧ＃２からＴＡＧ＃１に変更するように指示する場合には、Ｓｃｅｌｌ＃２におけるスケジューリングを停止するように構成されていてもよい。
【００５９】
かかる構成によれば、Ｓｃｅｌｌ＃２が属するＴＡＧをＴＡＧ＃２からＴＡＧ＃１に変更する手順が行われている間は、移動局ＵＥが、Ｓｃｅｌｌ＃２において、上りリンク信号を送信することができないため、他の上りリンク信号に対する干渉の発生を回避することができる。
【００６０】
なお、制御部２１は、移動局ＵＥのＳｃｅｌｌ＃２が属するＴＡＧをＴＡＧ＃２からＴＡＧ＃１に変更することを決定した場合、移動局ＵＥに対して、Ｓｃｅｌｌ＃２が属するＴＡＧをＴＡＧ＃２からＴＡＧ＃１に変更するように指示する前に、移動局ＵＥによって送信されるＳＲＳ（Ｓｏｕｎｄｉｎｇ  Ｒｅｆｅｒｅｎｃｅ  Ｓｙｍｂｏｌ）を解放（ｄｅｃｏｎｆｉｇｕｒｅ）するように構成されていてもよい。
【００６１】
制御部２１が、移動局ＵＥのＳｃｅｌｌ＃２が属するＴＡＧをＴＡＧ＃２からＴＡＧ＃１に変更することを決定した場合、送信部２２は、移動局ＵＥに対して、Ｓｃｅｌｌ＃２が属するＴＡＧをＴＡＧ＃２からＴＡＧ＃１に変更するように指示する「ＲＲＣ  Ｃｏｎｎｅｃｔｉｏｎ  Ｒｅｃｏｎｆｉｇｕｒａｔｉｏｎ（ＴＡＧ  ｍｏｄｉｆｉｃａｔｉｏｎ）」を送信するように構成されている。
【００６２】
また、受信部２３は、移動局ＵＥから、Ｓｃｅｌｌ＃２が属するＴＡＧをＴＡＧ＃２からＴＡＧ＃１に変更する手順を完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信するように構成されている。
【００６３】
以下、図５を参照して、本実施形態に係る無線基地局ｅＮＢの動作について説明する。
【００６４】
図５に示すように、ステップＳ２０１において、無線基地局ｅＮＢは、移動局ＵＥのＳｃｅｌｌ＃２が属するＴＡＧをＴＡＧ＃２からＴＡＧ＃１に変更することを決定する。
【００６５】
ステップＳ２０２において、無線基地局ｅＮＢは、移動局ＵＥに対して、Ｓｃｅｌｌ＃２が属するＴＡＧをＴＡＧ＃２からＴＡＧ＃１に変更するように指示する前に、Ｓｃｅｌｌ＃２を非アクティブ化する。
【００６６】
なお、無線基地局ｅＮＢは、上述の変更手順が完了した後に、すなわち、移動局ＵＥから「ＲＲＣ  Ｃｏｎｎｅｃｔｉｏｎ  Ｒｅｃｏｎｆｉｇｕｒａｔｉｏｎ  Ｃｏｍｐｌｅｔｅ」を受信した後に、必要に応じて、ＭＡＣレイヤにおける制御情報を用いて、Ｓｃｅｌｌ＃２をアクティブ化してもよい。
【００６７】
或いは、ステップＳ２０２において、無線基地局ｅＮＢは、移動局ＵＥに対して、Ｓｃｅｌｌ＃２が属するＴＡＧをＴＡＧ＃２からＴＡＧ＃１に変更するように指示する際に、移動局ＵＥに対して、ハンドオーバを行うように指示する。
【００６８】
或いは、ステップＳ２０２において、無線基地局ｅＮＢは、移動局ＵＥに対して、Ｓｃｅｌｌ＃２が属するＴＡＧをＴＡＧ＃２からＴＡＧ＃１に変更するように指示する場合に、Ｓｃｅｌｌ＃２におけるスケジューリングを停止する。
【００６９】
本実施形態に係る移動通信システムによれば、Ｓｃｅｌｌ＃２が属するＴＡＧをＴＡＧ＃２からＴＡＧ＃１に変更する手順が行われている間、Ｓｃｅｌｌ＃２における上りリンク信号の送受信において、移動局ＵＥと無線基地局ｅＮＢとの間で、異なるＴＡ値、ＴＡＴ及び「ＤＬ  Ｔｉｍｉｎｇ  Ｒｅｆｅｒｅｎｃｅ  Ｃｅｌｌ」を用いた結果、無線基地局ｅＮＢが、Ｓｃｅｌｌ＃２における移動局ＵＥからの上リンク信号を受信することができず、かかる上りリンク信号が、他の上りリンク信号に対する干渉となってしまう事態を回避することができる。
【００７０】
以上に述べた本実施形態の特徴は、以下のように表現されていてもよい。
【００７１】
本実施形態の第１の特徴は、Ｐｃｅｌｌ（プライマリセル）及びＳｃｅｌｌ（セカンダリセル）を用いてＣＡ（キャリアアグリゲーション）を行うことができるように構成されている移動局ＵＥであって、Ｓｃｅｌｌ＃２（対象のセカンダリセル）が属するＴＡＧ（タイミング調整グループ）をＴＡＧ＃２（第１タイミング調整グループ）からＴＡＧ＃１（第２タイミング調整グループ）に変更するように指示された場合、Ｓｃｅｌｌ＃２を非アクティブ化するように構成されている制御部１２を具備することを要旨とする。
【００７２】
本実施形態の第２の特徴は、Ｐｃｅｌｌ及びＳｃｅｌｌを用いてＣＡを行うことができるように構成されている移動局ＵＥであって、ＴＡＴ（タイミング調整タイマ）が停止しているＴＡＧに属するＳｃｅｌｌにおいて、上りリンク信号を送信しないように構成されている送信部１３と、Ｓｃｅｌｌ＃２が属するＴＡＧをＴＡＧ＃２からＴＡＧ＃１に変更するように指示された場合、ＴＡＧ＃１及びＴＡＧ＃２の少なくとも一方におけるＴＡＴを停止するように構成されている制御部１２とを具備することを要旨とする。
【００７３】
本実施形態の第３の特徴は、移動局ＵＥがＰｃｅｌｌ及びＳｃｅｌｌを用いてＣＡを行うことができるように構成されている移動通信システムで用いられる無線基地局ｅＮＢであって、移動局ＵＥに対して、Ｓｃｅｌｌ＃２が属するＴＡＧをＴＡＧ＃２からＴＡＧ＃１に変更するように指示する前に、Ｓｃｅｌｌ＃２を非アクティブ化するように構成されている制御部２１を具備することを要旨とする。
【００７４】
本実施形態の第４の特徴は、移動局ＵＥがＰｃｅｌｌ及びＳｃｅｌｌを用いてＣＡを行うことができるように構成されている移動通信システムで用いられる無線基地局ｅＮＢであって、移動局ＵＥに対して、Ｓｃｅｌｌ＃２が属するＴＡＧをＴＡＧ＃２からＴＡＧ＃１に変更するように指示する場合には、移動局ＵＥに対して、ハンドオーバを行うように指示するように構成されている制御部２１を具備することを要旨とする。
【００７５】
本実施形態の第５の特徴は、移動局ＵＥがＰｃｅｌｌ及びＳｃｅｌｌを用いてＣＡを行うことができるように構成されている移動通信システムで用いられる無線基地局ｅＮＢであって、移動局ＵＥに対して、Ｓｃｅｌｌ＃２が属するＴＡＧをＴＡＧ＃２からＴＡＧ＃１に変更するように指示する場合には、Ｓｃｅｌｌ＃２におけるスケジューリングを停止するように構成されている制御部２１を具備することを要旨とする。
【００７６】
本実施形態の第５の特徴において、制御部２１は、上述の指示を行う前に、移動局ＵＥによって送信されるＳＲＳを解放するように構成されていてもよい。
【００７７】
本実施形態の第６の特徴は、Ｐｃｅｌｌ及びＳｃｅｌｌを用いてＣＡを行うことができるように構成されている移動局ＵＥであって、Ｓｃｅｌｌ＃２が属するＴＡＧをＴＡＧ＃２からＴＡＧ＃１に変更するように指示された場合、Ｓｃｅｌｌ＃２における上りリンクの送信を停止するように構成されている制御部１２を具備することを要旨とする。
【００７８】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００７９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００８１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８２】
ＵＥ…移動局
ｅＮＢ…無線基地局
１１、２３…受信部
１２、２１…制御部
１３、２２…送信部
【図１】
0005426718.tif 000002
【図２】
0005426718.tif 000003
【図３】
0005426718.tif 000004
【図４】
0005426718.tif 000005
【図５】
0005426718.tif 000006
【図６】
0005426718.tif 000007